(57)【要約】      （修正有）【課題】簡単な構成で容易に開封できる、包装容器および包装体を提供する。【解決手段】包装容器１０は第１部材１２および第２部材１４を含み、第１部材および第２部材によって内容物を収納する。第１部材には、孔１３４が形成され、この孔は、吊り下げ用のフック孔１３４ａと、このフック孔の一部を下方に切り欠いた切り欠き孔１３４ｂによって構成される。一方、第２部材には、第１部材と第２部材を閉じたときに、切り欠き孔に対向する位置に、開封用の摘まみ部１４２が設けられる。つまり、第１部材と第２部材には、フック孔の周縁において、重なっていない部分が設けられる。第１部材と第２部材の重なっていない部分を摘まむことにより、それらを異なる手で摘まむことができるので、開封が容易である。【選択図】図１
2015147605.tif 000002
【特許請求の範囲】
【請求項１】
任意の内容物を包装する包装容器であって、
前記内容物を載置する第１部材と、
前記第１部材の一部を覆い、前記内容物を抑える第２部材を備え、
前記第１部材および前記第２部材のいずれか一方に吊り下げ用の孔を形成し、
前記孔の周縁において前記第１部材と前記第２部材が重ならないようにした、包装容器。
【請求項２】
前記第１部材および前記第２部材のいずれか一方の前記孔の一部に切り欠きを設けた、請求項１記載の包装容器。
【請求項３】
前記切り欠きと対向する位置であり、前記第１部材および前記第２部材のうちの他方に開封用の摘まみ部を設けた、請求項２記載の包装容器。
【請求項４】
前記摘まみ部は、前記切り欠きの方向とは異なる方向に突出する、請求項３に記載の包装容器。
【請求項５】
前記摘まみ部に開封方向を示すマークを設けた、請求項３または４記載の包装容器。
【請求項６】
任意の内容物と当該内容物を包装する包装容器とを含む包装体であって、
前記包装容器は、
前記内容物を載置する第１部材と、
前記第１部材の一部を覆い、前記内容物を抑える第２部材を備え、
前記第１部材および前記第２部材のいずれか一方に吊り下げ用の孔を形成し、
前記孔の周縁において前記第１部材と前記第２部材が重ならないようにした、包装体。
【請求項７】
任意の内容物と当該内容物を包装する包装容器と当該包装容器の少なくとも一部を覆う台紙とを含む包装体であって、
前記包装容器は、
前記内容物を載置する第１部材と、
前記第１部材の一部を覆い、前記内容物を抑える第２部材を備え、
前記第１部材および前記第２部材のいずれか一方に吊り下げ用の孔を形成し、
前記孔の周縁において前記第１部材と前記第２部材が重ならないようにした、包装体。
【請求項８】
前記台紙は、前記孔の周縁において前記第１部材と前記第２部材が重ならない部分を覆う、請求項７記載の包装体。
【発明の詳細な説明】
【技術分野】
【０００１】
この発明は包装容器および包装体に関し、特にたとえば、任意の内容物を包装する、包装容器および包装体に関する。
に関する。
【背景技術】
【０００２】
背景技術の一例が特許文献１に開示される。この特許文献１に開示された収納ケースは、透明塩化ビニル製フィルムを真空成形した折り曲げ構造のブリスターパックであって、収納ケース全体を折り曲げ線で二つ折りにして粘着式清掃具を収納する。収納ケースの重ね合わせ部には、収納ケースを吊り下げるためのフック穴が設けられるとともに、フック穴の両側に２つのホックが設けられる。このホックが重ね合わせ部で嵌まりあって、２枚のフィルムが相互にロックされる。
【０００３】
また、背景技術の他の例が特許文献２に開示される。この特許文献２に開示されたブリスターパックは、本体と保護カバーの透明な２部材構成であり、本体とカバーとが重ね合わされ、それらが超音波溶着されることにより、カメラおよび付属品を収納する。このブリスターパックでは、その上半分がカメラ収納領域であり、その下半分が付属品収納領域である。また、ブリスターパックの上端部には、長孔が設けられ、フック等への吊り下げが可能である。
【先行技術文献】
【特許文献】
【０００４】
【特許文献１】実開平６−５８８６７号
【特許文献２】特開２００１−８０６９０号
【発明の概要】
【発明が解決しようとする課題】
【０００５】
この特許文献１に開示されたブリスターパックでは、２枚のフィルムがきっちり重ね合わされてロックされるため、各フィルムを摘まみ難く、また、開封し難い。
【０００６】
また、特許文献２に開示されブリスターパックでは、同一の外形形状の本体とカバーとが重なり合わされて溶着されるため、特許文献１と同様に、本体とカバーのそれぞれを摘まみ難く、開封し難い。
【０００７】
それゆえに、この発明の主たる目的は、新規な、包装容器および包装体を提供することである。
【０００８】
また、この発明の他の目的は、簡単な構成で容易に開封できる、包装容器および包装体を提供することである。
【課題を解決するための手段】
【０００９】
第１の発明は、任意の内容物を包装する包装容器である。第１部材は、内容物を載置する。第２部材は、第１部材の一部を覆い、内容物を抑える。第１部材および第２部材のいずれか一方に吊り下げ用の孔が形成される。そして、孔の周縁において第１部材と第２部材が重ならないように構成される。たとえば、孔の形状が変化されたり、孔に対向する部分の形状を変化させたり、それらの両方が変化されたりする。したがって、重ならない部分を摘まんで、第２部材が第１部材を覆った状態が解除される。つまり、包装容器が開封される。
【００１０】
第１の発明によれば、孔の形状や孔に対向する部分の形状を変化させるだけなので、簡単な構成で、容易に開封することができる。
【００１１】
第２の発明は、第１の発明に従属し、第１部材および第２部材のいずれか一方の吊り下げ用の孔の周縁の一部に切り欠きが設けられる。
【００１２】
第２の発明によれば、吊り下げ用の孔の周縁の一部に切り欠きを設けるので、切り欠き部において、第１部材と第２部材の重ならない部分を形成することができ、したがって、その重ならない部分を摘まむことによって、第２部材が第１部材を覆った状態を解くことができる。つまり、包装を解くことができる。
【００１３】
第３の発明は、第２の発明に従属し、切り欠きと対向する位置であり、第１部材および第２部材のうちの他方に開封用の摘まみ部を設けた。
【００１４】
第３の発明によれば、切り欠きと対向する位置に開封用の摘まみ部を設けるので、包装を容易に解くことができる。
【００１５】
第４の発明は、第３の発明に従属し、摘まみ部は、切り欠きの方向とは異なる方向に突出する。
【００１６】
第４の発明によれば、摘まみ部を摘まみ易くするので、より簡単に開封することができる。
【００１７】
第５の発明は、第３または第４の発明に従属し、摘まみ部に開封方向を示すマークを設けた。
【００１８】
第５の発明によれば、開封方向を直感的に知ることができる。
【００１９】
第６の発明は、任意の内容物と当該内容物を包装する包装容器とを含む包装体であって、包装容器は、内容物を載置する第１部材と、第１部材の一部を覆い、内容物を抑える第２部材を備え、第１部材および第２部材のいずれか一方に吊り下げ用の孔を形成し、孔の周縁において第１部材と第２部材が重ならないようにした、包装体である。
【００２０】
第６の発明においても、第１の発明と同様に、簡単な構成で、容易に開封することができる。
【００２１】
第７の発明は、任意の内容物と当該内容物を包装する包装容器と当該包装容器の少なくとも一部を覆う台紙とを含む包装体であって、包装容器は、内容物を載置する第１部材と、第１部材の一部を覆い、内容物を抑える第２部材を備え、第１部材および第２部材のいずれか一方に吊り下げ用の孔を形成し、孔の周縁において第１部材と第２部材が重ならないようにした、包装体である。
【００２２】
第７の発明においても、第１の発明と同様に、簡単な構成で、容易に開封することができる。
【００２３】
第８の発明は、第７の発明に従属し、台紙は、孔の周縁において第１部材と第２部材とが重ならない部分を覆う。
【００２４】
第８の発明によれば、台紙が第１部材と第２部材とが重ならない部分を覆うので、包装体を輸送中や店頭に並べている状態で、意図せずに開封されてしまうのを防止することができる。
【発明の効果】
【００２５】
この発明によれば、孔の形状や孔に対向する部分の形状を変化させるだけなので、簡単な構成で、容易に開封することができる。
【００２６】
この発明の上述の目的，その他の目的，特徴および利点は、図面を参照して行う以下の実施形態の詳細な説明から一層明らかとなろう。
【図面の簡単な説明】
【００２７】
【図１】図１はこの発明の一実施例の包装容器を開いた状態を斜め上方から見た斜視図である。
【図２】図２はこの実施例の開いた状態の包装容器を図１に示す状態からひっくり返して斜め上方から見た斜視図である。
【図３】図３は図１および図２に示す包装容器を閉じた状態を正面および側面から見た図である。
【図４】図４は図１−図３に示す包装容器に収納される或る内容物を示す図解図である。
【図５】図５は図１−図３に示す包装容器に収納される他の内容物を示す図解図である。
【図６】図６は図４および図５に示す内容物が装着されるゲーム装置の一例を示す図解図である。
【図７】図７は図４および図５に示した内容物を開いた状態の包装容器に載置する途中の状態を示す図解図である。
【図８】図８は図４および図５に示した内容物を開いた状態の包装容器に載置した状態を正面から見た図および右側面から見た図である。
【図９】図９は図４および図５に示した内容物を包装容器に収容した状態を正面から見た図およびその断面図である。
【図１０】図１０は内容物が収容された包装容器を貼り付ける台紙の一例を示す図解図である。
【図１１】図１１は内容物が収容された包装容器を台紙に貼り付ける方法を説明するための図解図である。
【図１２】図１２は内容物が収容された包装容器を台紙に貼り付ける方法を説明するための他の図解図である。
【図１３】図１３は台紙付き包装容器を正面から見た図である。
【図１４】図１４は図６に示したゲーム装置の一部を模した模造品の一例を示す図解図である。
【図１５】図１５は図１３に示した台紙付き包装容器に図１４に示した模造品を装着する途中の状態を正面から見た図である。
【図１６】図１６は図１３に示した台紙付き包装容器に図１４に示した模造品を装着した状態を正面から見た図およびその断面図である。
【発明を実施するための形態】
【００２８】
図１および図２を参照して、この発明の一実施例である包装容器１０は、第１部材１２および第２部材１４を含み、第１部材１２および第２部材１４は折れ線Ｌの位置で連結されて一体的に設けられる。ただし、第１部材１２および第２部材１４は別個独立に設けるようにしてもよい。
【００２９】
なお、図２は、図１に示す開いた状態の包装容器１０をひっくり返した図である。
【００３０】
第１部材１２および第２部材１４は、透明の樹脂で形成され、第２部材１４を第１部材１２に被せるように合わせた（閉じた）状態で、２つの内容物２２、２４（図４および図５参照）などを収納する。また、第１部材１２および第２部材１４は、それぞれ、背面側に凹部１２０、１４０が形成され、したがって、前方に突出している。
【００３１】
なお、第１部材１２および第２部材１４は透明の樹脂で形成されるため、実際には、背後に現れる線も見えるが、図１および図２では、背後に現れる線については省略してある。
【００３２】
図１および図２に示すように、第２部材１４の凹部１４０で第１部材１２の少なくとも一部（突出した部分）を覆うように、包装容器１０を折れ線Ｌで折り曲げて閉じると、図３（Ａ）および図３（Ｂ）に示すように、第１部材１２の突出した部分（載置部１２２）が第２部材１４の凹部１４０に嵌る。ただし、図３（Ａ）は包装容器１０を閉じた状態を正面から見た図であり、図３（Ｂ）は図３（Ａ）のIIIB−IIIB断面図を示す。
【００３３】
図３（Ａ）に示すように、この明細書においては、包装容器１０を正面から見た場合の折れ線Ｌに並行な方向を横方向といい、これに垂直な方向を縦方向ということにする。また、横方向のいずれか一方をいう場合には、包装容器１０を正面から見た場合において、左方向または右方向という。さらに、縦方向のいずれか一方をいう場合には、包装容器１０を正面から見た場合において、上方向または下方向という。
【００３４】
したがって、図１および図２では、第１部材１２と第２部材１４とを開いた状態であるため、折れ線Ｌから垂直に遠ざかる方向が第１部材１２および第２部材１４の上方向であり、折れ線Ｌに垂直に向かう方向が第１部材１２および第２部材１４の下方向である。
【００３５】
また、図３（Ｂ）に示すように、包装容器１０を閉じた状態において、突出している側を前方（正面側）といい、凹部１２０、１４０が設けられる側を後方（背面側）という。
【００３６】
なお、図１および図２では、包装容器１０を開いているため、第１部材１２と第２部材１４では、正面側および背面側が逆になっている。
【００３７】
また、図２に示すように、第１部材１２の凹部１２０は、深さ（高さ）の異なる部分を含み、略四角形状の底面１２０ａを有している。つまり、凹部１２０は、凹凸を有する底面１２０ａおよび平面で形成される４つの側面１２０ｂを有し、底面１２０ａおよび４つの側面１２０ｂのそれぞれの接合部分は曲面にされる。底面１２０ａには、後述する模造品２００の凸部２０６ａを受け入れる溝１２０２が設けられ、凸部２０６ｂを受け入れる溝１２０４が設けられ、そして、凸部２０６ｃを受け入れる溝１２０６が設けられる（図１４−図１６参照）。
【００３８】
さらに、図１に示すように、第２部材１４の凹部１４０は、第１部材１２の凹部１２０の最大深さと同程度の一定の深さ（高さ）を有する。したがって、この凹部１４０は、平面で形成される底面１４０ａおよび平面で形成される４つの側面１４０ｂを有し、底面１４０ａおよび４つの側面１４０ｂのそれぞれの接合部分は曲面にされる。
【００３９】
また、上述したように、第１部材１２の背面側に凹部１２０を設けることにより、その前面側は突出し、これによって、図１に示すように、内容物２２、２４（図４および図５参照）を載置するための載置部１２２が形成される。
【００４０】
載置部１２２は、２つの載置領域１２４および載置領域１２６を有している。載置領域１２４は、内容物２２を載せる平面の台座１２４ａと、内容物２２の一部を受容する溝１２４ｂ、１２４ｃを有している。溝１２４ｂは、載置領域１２４の上側の端部に、横方向に延びて形成される。また、溝１２４ｃは、載置領域１２４の下側の端部に、横方向に延びて形成される。載置領域１２６は、内容物２４を載せる平面の台座１２６ａと、この台座１２６ａの内側であり、背面側に窪む平面を有する凹部１２６ｂを有している。なお、台座１２４ａの平面および台座１２６ａの平面は面一ないし略面一に形成される。
【００４１】
また、載置部１２２には、横方向に延びる凸部（凸条）１２８、１３０および１３２が設けられる。凸部１２８は、載置領域１２４と載置領域１２６の間に設けられる。ただし、この実施例では、凸部１２８は、後述するゲーム装置１００のヒンジ１０６の縦方向の幅と同程度の幅を有している。また、凸部１３０は、載置領域１２４の上側に設けられる。そして、凸部１３２は、載置領域１２６の下側に設けられる。凸部１３０、載置領域１２４、凸部１２８、載置領域１２６および凸部１３２は、この順番で下方向に並んでいる。
【００４２】
なお、この実施例では、凸部１２８は、ゲーム装置１００のヒンジ１０６の縦方向の幅と同程度の幅に設定してあるが、これに限定される必要はない。後述するように、包装容器１０の凹部１２０には、ゲーム装置１００の模造品２００が装着されるため、凸部１２８の幅は、この模造品２００の設計に応じて適宜変更される。したがって、凸部１２８の縦方向の幅は、ゲーム装置１００のヒンジ１０６の縦方向の幅と同じに設定されたり、そのヒンジ１０６の縦方向の幅よりも狭く設定たり、そのヒンジ１０６の縦方向の幅よりも広く設定されたりする。
【００４３】
凸部１２８、１３０、１３２の前面（図１では上向きの面）は面一ないし略面一に形成され、台座１２４ａおよび台座１２６ａの平面よりも前方に突出している。また、図３（Ａ）および（Ｂ）に示すように、第１部材１２および第２部材１４を折り畳むと、たとえば、凸部１２８、１３０および１３２の前面は、凹部１４０の底面１４０ａに当るまたは近接する。ただし、載置領域１２４および載置領域１２６においては、台座１２４ａおよび１２６ａと、底面１４０ａとの間に収納部（空間）が形成される。
【００４４】
また、図１および図２に示すように、第１部材１２の上端部の中央には、孔１３４が設けられる。孔１３４は、什器や陳列棚に設けられたフックに引っかけるための横長のフック孔１３４ａと、当該フック孔１３４ａの一部を下方に切り欠いた切り欠き孔１３４ｂによって構成される。つまり、切り欠き孔１３４ｂは、フック孔１３４ａの周縁に設けられる。
【００４５】
さらに、図１および図２に示すように、第２部材１４の上端部の中央であり、第１部材１２と第２部材１４を重ねた場合に、当該第１部材１２に設けられた切り欠き孔１３４ｂに対向する位置に、包装容器１０を開封するための摘まみ部１４２が設けられる。つまり、図３（Ａ）に示すように、包装容器１０を閉じた状態において、第１部材１２および第２部材１４では、フック孔１３４ａの周縁において重なっていない部分が設けられる。
【００４６】
また、摘まみ部１４２は、第２部材１４の上辺の一部を上方向に突出させた部分を含む。具体的には、摘まみ部１４２は、第２部材１４のうち、ユーザが指で当該第２部材１４を摘まんだり、当該第２部材１４に指をかけたりする部分であり、上記の切り欠き孔１３４ｂの大きさおよび形状と同程度の部分ないし範囲である。また、摘まみ部１４２は、一部を繰り抜いた孔１４２ａを含む。この実施例では、孔１４２ａは頂角が下方を向く三角形の形状を有している。
【００４７】
なお、この実施例では、第１部材１２において、フック孔１３４ａの一部を切り欠いて切り欠き孔１３４ｂを設けるとともに、第２部材１４の切り欠き孔１３４ｂに対向する位置に摘まみ部１４２を設けるようにしたが、これに限定される必要はない。
【００４８】
たとえば、切り欠き孔１３４ｂを設けずに、フック孔１３４ａの縦方向の幅を広げるようにしてもよいし、摘まみ部１４２の突出させた部分の突出量を大きくするようにしてもよい。これらはいずれか一方が採用されてもよいし、両方が採用されてもよい。
【００４９】
また、この実施例では、摘まみ部１４２は、上方向に突出しているが、これに限定される必要はなく、切り欠き孔１３４ｂの切り欠き方向とは異なる方向に突出していればよい。
【００５０】
図４および図５は、図１−図３に示した包装容器１０の内容物２２、２４の一例を示す。図４（Ａ）は内容物２２の正面図であり、図４（Ｂ）は内容物２２の右側面図であり、図４（Ｃ）は内容物２２の上面図であり、そして、図４（Ｄ）は内容物２２の下面図である。なお、左側面は右側面を左右対称にしただけであるため、左側面の図は省略してある。
【００５１】
図４（Ａ）、（Ｂ）および（Ｄ）に示すように、内容物２２は、横長の平板で形成される本体２２ａを有している。また、図４（Ｂ）、（Ｃ）および（Ｄ）に示すように、内容物２２には、その平板の長手方向の両端部を折り曲げて形成した側板２２ｂが本体２２ａと一体的に設けられる。さらに、図４（Ａ）−（Ｄ）に示すように、内容物２２には、本体２２ａの短手方向の一方端部であり、本体２２ａの厚みに相当する段差を有して短手方向に延びる横長の突起２２ｃが本体２２ａに一体的に設けられる。
【００５２】
また、図５（Ａ）は内容物２４の正面図であり、図５（Ｂ）は内容物２４の右側面図であり、図５（Ｃ）は内容物２４の上面図であり、そして、図５（Ｄ）は内容物２４の下面図である。なお、左側面は右側面を左右対称にしただけであるため、左側面の図は省略してある。
【００５３】
図５（Ａ）、（Ｂ）および（Ｄ）に示すように、内容物２４は、横長の平板で形成される本体２４ａを有している。また、図５（Ｂ）、（Ｃ）および（Ｄ）に示すように、内容物２４には、その平板の長手方向の両端部を折り曲げて形成した側板２４ｂが本体２４ａと一体的に設けられる。
【００５４】
なお、この実施例では、内容物２２および内容物２４の平板は同じまたはほぼ同じ厚みであり、この厚みは、上記の凸部１２８、１３０および１３２が台座１２４ａおよび１２６ａよりも突出している量とほぼ一致する。
【００５５】
また、この実施例では、内容物２２および内容物２４は、図６（Ａ）および（Ｂ）に示すような外観を有するゲーム装置１００の筐体（本体）の一部を構成するカバーである。このゲーム装置１００は開閉可能に構成される。図６（Ａ）はゲーム装置１００を開いた状態の正面を斜め上方から見た斜視図であり、図６（Ｂ）はゲーム装置１００を開いた状態の背面を斜め上方から見た斜視図である。
【００５６】
図６（Ａ）に示すように、ゲーム装置１００は、第１筐体１０２および第２筐体１０４を含み、第１筐体１０２と第２筐体１０４とがヒンジ１０６で回動可能に連結される。したがって、ゲーム装置１００の本体は、第１筐体１０２、第２筐体１０４およびヒンジ１０６で構成される。
【００５７】
図６（Ａ）に示すように、第１筐体１０２の正面側のほぼ中央には、第１ＬＣＤ１１０が設けられる。また、第１筐体１０２には、第１ＬＣＤ１１０の左右に、第１筐体１０２の内部に設けられるスピーカからの音を出すための孔１０２ａが設けられる。
【００５８】
また、図６（Ａ）に示すように、第２筐体１０４の正面側のほぼ中央には、第２ＬＣＤ１１２が設けられる。また、第２筐体１０４には、第２ＬＣＤ１１２の左側に十字キー１１４が設けられ、第２ＬＣＤ１１２の右側に４つの押しボタン１１６が設けられる。
【００５９】
また、図６（Ｂ）に示すように、筐体１０２の背面側の一部には、着脱可能なカバー１０２０が装着され、筐体１０４の背面側の一部には、着脱可能なカバー１０４０が装着される。カバー１０２０およびカバー１０４０は、両面テープなどで貼り付けてよいし、ねじ孔を設けて、ねじ止めしてもよい。このカバー１０２０に代えて、内容物２２を装着することができ、カバー１０４０に代えて、内容物２４を装着することができる。
【００６０】
なお、図６（Ａ）および図６（Ｂ）に示したゲーム装置１００の構成は一例であり、限定されるべきではない。たとえば、第２ＬＣＤ１１２に代えて、または、第２ＬＣＤ１１２上にタッチパネルを設けてもよい。
【００６１】
たとえば、内容物２２および内容物２４には、所定の色が付されたり、所定の模様や所定のキャラクタ（アニメキャラクタやゲームキャラクタ）が付されたり（描画されたり）する。ただし、内容物２２および内容物２４に付される色は同一であってよいし、異なっていてもよい。また、内容物２２および内容物２４には異なる種類のキャラクタが描画されてよいし、それぞれに描画された内容を合わせて、１つの大きなキャラクタが表現されたり、１つの模様や絵が表現されたりしてもよい。
【００６２】
また、通常のゲーム装置１００では、本体、すなわち、筐体１０２、筐体１０４およびヒンジ１０６には所定の色が付されている。したがって、上述したように、カバー１０２０およびカバー１０４０を、内容物２２および内容物２４に交換することにより、筐体１０２および筐体１０４の一部の色や模様を変えたり、筐体１０２および筐体１０４の少なくとも一方に所望のキャラクタを付したりすることができる。つまり、筐体１０２および筐体１０４の一部を着せ替えすることができる。ただし、カバー１０２０およびカバー１０４０の色と同じ色の内容物２２および内容物２４に単に交換することもできる。
【００６３】
このようなカバー１０２０に相当する内容物２２と、カバー１０４０に相当する内容物２４が包装容器１０に収納（包装）される。図７、図８（Ａ）および図８（Ｂ）に示すように、内容物２２は載置領域１２４の台座１２４ａに載置され、内容物２４は載置領域１２６の台座１２６ａに載置される。
【００６４】
図７は包装容器１０の載置部１２２に内容物２２および内容物２４を載せる途中の状態を示す斜視図である。また、図８（Ａ）は包装容器１０の載置部１２２に内容物２２および内容物２４を載せた状態を正面から見た図であり、図８（Ｂ）は図８（Ａ）の右側面図である。
【００６５】
図８（Ａ）および図８（Ｂ）に示すように、内容物２２に設けられた突起２２ｃは、載置領域１２４に形成された溝１２４ｂに受容される。したがって、内容物２２の下面（内側の面）を載置領域１２４の台座１２４ａに当接させることができる。また、内容物２４の下面（内側の面）を載置領域１２６の台座１２６ａに当接させることができる。
【００６６】
また、凹部１２６によって、内容物２４の背面側には、当該内容物２４を収納する収納部とは異なる収納部（空間）が形成され、この収納部に内容物２２および内容物２４の取扱説明書などが収納される。
【００６７】
ただし、内容物２２は突起２２ｃを下方向に向けて載置領域１２４に載置することもできる。かかる場合には、突起２２ｃは溝１２４ｃに受容される。このように、内容物２２を上下のいずれの方向にでも載置可能にするのは、たとえば、内容物２２および内容物２４が収納された包装容器１０を陳列した際に、内容物２２および内容物２４の表面に記載されたキャラクタ等の向きをその提供者ないし発売元の所望の向きに設定するためである。
【００６８】
そして、第２部材１４が第１部材１２の一部を覆うように、折り返し線Ｌで折り返すことにより、図９（Ａ）およびそのIXB−IXB断面図である図９（Ｂ）に示すように、内容物２２および内容物２４を載置した載置部１２２が第２部材１４に設けられた凹部１４０に嵌まる。したがって、凹部１４０の底面１４０ａが内容物２２および内容物２４の表面に当接または近接し、内容物２２および内容物２４は包装容器１０に収納（封止）される。
【００６９】
なお、内容物２２および内容物２４、すなわちカバーを収納した包装容器１０は、包装体（カバー包装体）と呼ぶことができる。
【００７０】
また、第１部材１２と第２部材１４の重なり状態をロックする機構を設けたり、第１部材１２と第２部材１４が当接する部分を溶着ないし接着したりしてもよい。
【００７１】
さらに、内容物２２および内容物２４が収納された包装容器１０は、図１０に示すような台紙５０に貼り付けられる。これは、第２部材１４が第１部材１２を覆う状態が容易に離脱されるのを防止したり、内容物２２および内容物２４の商品名等を表示したりするためである。
【００７２】
なお、上記のカバーを収納した包装容器１０を台紙５０に貼り付けた（台紙５０で覆った）もの（後述する台紙付き包装容器６０）を包装体と呼んでもよい。
【００７３】
図１０に示すように、台紙５０は、不透明な紙（厚紙）用いた表紙５２および裏表紙５４を含み、表紙５２と裏表紙５４は折れ線Ｍ１の位置で連結されて一体的に形成される。ただし、図１０（図１１−図１３、図１５および図１６も同じ。）では、斑点を付すことにより、台紙５０が不透明であることを示してある。
【００７４】
また、表紙５２と裏表紙５４は同様の形状を有し、折れ線Ｍ１を中心としてほぼ線対称に形成される。ただし、裏表紙５４には、内容物２２および内容物２４が収納された包装容器１０を台紙５０に両面テープやのりで貼り付けるための３つの領域５６ａ、５６ｂ、５６ｃが折れ線Ｍ２、Ｍ３、Ｍ４の位置で連結される。
【００７５】
さらに、表紙５２の中央には第２部材１４の凹部１４０の底面１４０ａと同じ形状で、この底面１４０ａよりも少し大きい繰り抜き孔５２ａが設けられる。また、繰り抜き孔５２ａと折れ線Ｍ１との間にフック孔１３４ａとほぼ同じ形状およびほぼ同じ大きさの繰り抜き孔５２ｂが設けられる。同様に、裏表紙５４には、繰り抜き孔５４ａおよび繰り抜き孔５４ｂが設けられる。繰り抜き孔５４ａは、表紙５２および裏表紙５４を折れ線Ｍ１で折り返した場合に、繰り抜き孔５２ａと重なる位置および大きさで形成される。また、繰り抜き孔５４ｂは、表紙５２および裏表紙５４を折れ線Ｍ１で折り返した場合に、繰り抜き孔５２ｂと重なる位置および大きさで形成される。
【００７６】
繰り抜き孔５２ａおよび繰り抜き孔５４ａは、包装容器１０に収納される内容物２２および内容物２４を見せるとともに、包装容器１０に装着される模造品２００（図１４参照）を当該包装容器１０を通して見せるために設けられる。
【００７７】
また、繰り抜き孔５２ｂおよび繰り抜き孔５４ｂは、フック孔１３４ａを塞がないように設けられる。ただし、切り欠き孔１３４ｂおよび摘まみ部１４２、すなわちフック孔１３４ａの周縁に設けられる第１部材１２と第２部材１４が重ならない部分は、台紙５０で覆われる。このため、台紙５０に貼り付けられた包装容器１０は、輸送中（搬送中）および陳列されている場合において、意図せずに開封されるのを防止される。
【００７８】
図１１に示すように、裏表紙５４の上に、内容物２２および内容物２４を収納した包装容器１０が載置され、図１２に示すように、領域５６ａ、５６ｂおよび５６ｃの各々が、折れ線Ｍ２、Ｍ３およびＭ４で折り返されるとともに、包装容器１０の第２部材１４の凹部１４０が設けられていない部分に貼り付けられる。そして、図１２の矢印で示すように、表紙５２は、折れ線Ｍ１で折り返され、領域５６ａ、５６ｂおよび５６ｃに貼り付けられる。したがって、図１３に示すように、内容物２２および内容物２４を収納した包装容器１０が台紙５０に貼り付けられる（包まれる）。以下、この状態の包装容器１０を、「台紙付き包装容器６０」ということにする。
【００７９】
なお、図１３（図１５および図１６も同様）では、台紙付き包装容器６０を分かり易く示すために、包装容器１０に収納した内容物２２、２４および第２部材１４の背後に見える第１部材１２の線についても実線で示してある。
【００８０】
台紙付き包装容器６０では、包装容器１０自体は透明であり、凸部１２８、１３０、１３２は、内容物２２、内容物２４および台紙５０によって覆われていない。したがって、台紙付き包装容器６０を正面から見た場合に（正面視で）、凸部１２８、１３０、１３２が設けられる部分を通して、台紙付き包装容器６０の背後を見ることができる。同様に、第１部材１２の凹部１２０の側面１２０ｂおよび第２部材１４の凹部１４０の側面１４０ｂも何ら覆われていないため、台紙付き包装容器６０を横から見た場合には（側面視で）、それらの側面１２０ｂおよび側面１４０ｂを通して、台紙付き包装容器６０の反対側を見ることができる。
【００８１】
このような台紙付き包装容器６０は、販売店の什器や陳列棚に設けられたフックに掛けるなどして、陳列される。したがって、通常、ユーザがゲーム装置１００のカバー１０２０、１０４０の交換（着せ替え）を検討する場合には、内容物２２および内容物２４を台紙付き包装容器６０から取り出して、ゲーム装置１００に合わせてみる必要がある。
【００８２】
しかし、購入前においては、通常、台紙付き包装容器６０から内容物２２および内容物２４を取り出して、ユーザが所有するゲーム装置１００に合わせることは出来ない。したがって、たとえば、各色のゲーム装置１００について、内容物２２および内容物２４に着せ替えた見本を用意しておくことが考えられるが、ゲーム装置１００の色（筐体１０２、１０４およびヒンジ１０６の色）は複数種類存在し、また、内容物２２および内容物２４も複数種類用意（提供）されるため、上記のような見本をすべての組み合わせについて用意することは困難である。
【００８３】
そこで、この実施例では、ゲーム装置１００の一部を模した模造品２００を用意し、当該模造品２００を台紙付き包装容器６０に装着することにより、ゲーム装置１００を着せ替えた場合の外観を容易に知ることができるようにしてある。たとえば、模造品２００は、ゲーム装置１００の筐体１０２、１０４およびヒンジ１０６の色と同じ色が付され、ゲーム装置１００の色毎に用意される。
【００８４】
たとえば、模造品２００は、樹脂で形成され、図１４（Ａ）、（Ｂ）および（Ｃ）に示すように、平板２０２を含む。ただし、図１４（Ａ）は、模造品２００を正面から見た図であり、図１４（Ｂ）は図１４（Ａ）のXIVB-XIVB断面図であり、図１４（Ｃ）は模造品２００を斜め上方から見た斜視図である。
【００８５】
なお、図１４（Ａ）および図１４（Ｃ）（図１５および図１６（Ａ）および図１６（Ｂ）も同じ）では、模造品２００に所定の色が付されていることを斜線を付して示してある。
【００８６】
この平板２０２の長手方向の一方端部には、フック２０４が形成される。また、模造品２００は、凸部２０６ａ、凸部２０６ｂおよび凸部２０６ｃを含み、凸部２０６ａ、凸部２０６ｂおよび凸部２０６ｃは、それぞれ、第１部材１２に形成された凹部１２０の底面１２０ａに形成される溝１２０２、１２０４および１２０６に収まる（嵌まる）大きさ（幅および長さ）および間隔で、平板２０２の表面に形成される。
【００８７】
凸部２０６ａは、ゲーム装置１００の第１筐体１０２のうち、カバー１０２０で覆われる部分を除く部分（上端部）に相当する。凸部２０６ｂは、ゲーム装置１００の第１筐体１０２と第２筐体１０４を連結するヒンジ１０６の部分に相当する。凸部２０６ｃは、ゲーム装置１００の第２筐体１０４のうち、カバー１０４０で覆われる部分を除く部分（下端部）に相当する。
【００８８】
図６（Ａ）および（Ｂ）に示したように、ゲーム装置１００では、第１筐体１０２と第２筐体１０４とはヒンジ１０６で連結されているため、カバー１０２０の表面とカバー１０４０の表面は同一面に設けられていないが、台紙付き包装容器６０では、内容物２２および内容物２４は面一ないし略面一で収納されるため、凸部２０６ａ、２０６ｂ、２０６ｃの高さは同じにされる。
【００８９】
たとえば、ユーザは自身のゲーム装置１００の色と同じ色の模造品２００を選び、図１５に示すように、選んだ模造品２００を台紙付き包装容器６０の裏面側から装着する。すると、図１６（Ａ）および図１６（Ｂ）に示すように、凸部２０６ａ、２０６ｂ、２０６ｃが凹部１２０に嵌まる。
【００９０】
ただし、図１６（Ａ）は、模造品２００を台紙付き包装容器６０に装着した状態を正面から見た図である。また、図１６（Ｂ）は図１６（Ａ）のXVIB-XVIB断面図である。
【００９１】
図１６（Ｂ）から良く分かるように、模造品２００の凸部２０６ａが溝１２０２に嵌まり、模造品２００の凸部２０６ｂが溝１２０４に嵌まり、そして、模造品２００の凸部２０６ｃが溝１２０６に嵌まる。
【００９２】
したがって、凸部２０６ａ、２０６ｂ、２０６ｃの表面ないし前面（突出した面）が、内容物２２および内容物２４の表面とほぼ面一となる。このため、ユーザは、ゲーム装置１００に内容物２２および内容物２４を装着した場合と同様の外観を容易に知ることができる。具体的には、模造品２００が装着された台紙付き包装容器６０を正面から見ることにより、内容物２２および内容物２４を装着したゲーム装置１０を開いた状態を背面から見た外観を知ることができる。また、模造品２００が装着された台紙付き包装容器６０を側面から見ることにより、内容物２２および内容物２４を装着したゲーム装置１０を開いた状態を側面から見た外観を知ることができる。さらに、模造品２００が装着された台紙付き包装容器６０を斜め方向から見ることにより、内容物２２および内容物２４を装着したゲーム装置１０を開いた状態の背面側を斜め方向から見た外観を知ることができる。
【００９３】
このようにして、ユーザは自身が所有するゲーム装置１００の色と同じ色の模造品２００を選択し、種類の異なる内容物２２および内容物２４を収納した台紙付き包装容器６０の各々に選択した模造品２００を順次装着することにより、着せ替えした場合の外観を見て、所望の台紙付き包装容器６０を選択（購入）することができる。
【００９４】
また、ユーザは、台紙付き包装容器６０を購入すると、台紙５０を包装容器１０から離脱した後に、内容物２２および内容物２４を包装容器１０から取り出す。ただし、台紙５０を離脱した包装容器１０は図９に示したとおりである。このとき、ユーザは、第１部材１２の第２部材１４と重なっていない部分を一方の手で摘まみ、第２部材１４に設けられた摘まみ部１４２を他方の手で摘まみ、孔１４２ａの三角形の頂角が示す方向に第２部材１４を引くことにより、第１部材１２および第２部材１４を開いた状態にすることができる。つまり、第１部材１２および第２部材１４による包装を解く（開封する）ことができる。
【００９５】
また、図１−図３に示したように、孔１３４は、フック孔１３４ａと切り欠き孔１３４ｂとで構成され、摘まみ部１４２と対向する位置に、切り欠き孔１３４ｂが設けられるため、ユーザは摘まみ部１４２を摘まみ易い。また、摘まみ部１４２に設けられる孔１４２ａの三角形の頂角によって、ユーザは摘まみ部１４２を引く方向を直感的に知ることができる。したがって、包装を容易に解くことができる。
【００９６】
この実施例によれば、包装容器の第２部材のフック孔の周縁において、第１部材と第２部材が重ならない部分を設けるので、第１部材と第２部材をそれぞれ異なる手で摘まむことにより、包装容器を容易に開封することができる。
【００９７】
また、この実施例によれば、フック孔の一部に切り欠いた切り欠き孔を設けるだけなので、つまり、フック孔の形状を変化させるだけで、第１部材と第２部材が重ならない部分を設けることができるので、構成が簡単である。
【００９８】
さらに、この実施例によれば、正面視が透明な部分を有する台紙付き包装容器にゲーム装置の一部を模造した模造品を合わせることにより、当該ゲーム装置に内容物を装着した場合の外観と同様の外観を見ることができる。つまり、所望の組み合わせを容易に知ることができる。
【００９９】
なお、この実施例では、ゲーム装置のような電子機器の筐体の一部を構成するカバーを包装容器に収納するようにしたが、内容物は限定される必要はなく、任意の内容物を収納することができる。
【０１００】
また、この実施例では、２つの内容物を収納するようにしたが、収納物は１つでもよいし、３つ以上でもよい。
【０１０１】
さらに、この実施例では、２つの内容物は、ゲーム装置の筐体の一部を構成するカバーであり、同種の内容物を収納するようにしてあるが、異なる種類の内容物を収納するようにしてもよい。
【０１０２】
なお、この実施例で示した包装容器および台紙の形状等は単なる一例であり、実際の製品等に応じて適宜変更される。
【０１０３】
たとえば、実施例で示したゲーム装置では、縦方向に第１筐体と第２筐体を開くため、２つの内容物（カバー）を縦に並べて包装容器に収容したが、書籍を開くように、横方向に第１筐体と第２筐体を開くような装置のカバーを収納する場合には、２つの内容物は横に並べられる。
【符号の説明】
【０１０４】
１０  …包装容器
１２  …第１部材
１４  …第２部材
５０  …台紙
１００  …ゲーム装置
１０２、１０４  …筐体
１０６  …ヒンジ
１１０、１１２  …ＬＣＤ
１１２  …十字キー
１１４  …押しボタン
１２０、１４０  …凹部
１２２  …載置部
１２４、１２６  …載置領域
１２４ｂ、１２４ｃ、１２０２、１２０４、１２０６  …溝
１２８、１３０、１３２、２０６ａ、２０６ｂ、２０６ｃ  …凸部
１３４  …孔
１３４ａ  …フック孔
１３４ｂ  …切り欠き孔部
１４２  …摘まみ部
２００  …模造品
１０２０、１０４０  …カバー
【図１】
2015147605.tif 000003
【図２】
2015147605.tif 000004
【図３】
2015147605.tif 000005
【図４】
2015147605.tif 000006
【図５】
2015147605.tif 000007
【図６】
2015147605.tif 000008
【図７】
2015147605.tif 000009
【図８】
2015147605.tif 000010
【図９】
2015147605.tif 000011
【図１０】
2015147605.tif 000012
【図１１】
2015147605.tif 000013
【図１２】
2015147605.tif 000014
【図１３】
2015147605.tif 000015
【図１４】
2015147605.tif 000016
【図１５】
2015147605.tif 000017
【図１６】
2015147605.tif 000018